(57)【要約】【課題】従来から商品の宣伝や内容説明の表示等のために使用されている首掛けラベルについて、これに僅かの工夫をするだけで、缶自体には断熱性部材を貼付したりすることなく、手で缶を掴む時の断熱効果が得られるようにする。【解決手段】缶２の胴部２３の円周方向の対向位置を片手で掴んで缶２を確実に支持した状態での、缶２の胴部２３の手で掴まれる対向部分に対して、缶２の首部２２に掛けられるラベル１を、該対向部分の略全体をカバーできるように形成しておく。【選択図】　　　　図２
2004086079.tif 000002
【特許請求の範囲】
【請求項１】
缶の胴部の円周方向の対向位置を片手で掴んで缶を確実に支持した状態での、缶の胴部の手で掴まれる対向部分に対して、缶の首部に掛けられるラベルが、該対向部分の略全体をカバーできるように形成されていることを特徴とする首掛けラベル。
【請求項２】
ラベルに対して、缶の首部を挿通する孔に接続する切り込みが形成されていることで、缶の首部に掛けられたラベルが缶の胴部にまでずり下げられるようになっていると共に、ラベルが缶の胴部にまでずり下げられた状態で、缶の胴部の手で掴まれる対向部分に対して、該対向部分の略全体をラベルがカバーできるように形成されていることを特徴とする請求項１に記載の首掛けラベル。
【請求項３】
缶の胴部の手で掴まれる対向部分に対して、該対向部分をカバーしているラベルの部分の裏面側に、断熱性の高いシート部材が貼着されていることを特徴とする請求項１又は２に記載の首掛けラベル。
【請求項４】
断熱性の高いシート部材が、吸水性を有するものであることを特徴とする請求項３に記載の首掛けラベル。
【発明の詳細な説明】
【０００１】
【発明の属する技術分野】
本発明は、商品の宣伝や内容説明の表示等のために内容物入り容器の首部に掛けられる首掛けラベルに関し、特に、熱伝導性の高い金属製の缶容器（ボトル型缶等）に装着される首掛けラベルに関する。
【０００２】
【従来の技術】
内容物をボトル形状の容器に充填した容器入り商品について、商品の宣伝や内容説明の表示等のために使用するラベルを、該ラベルに形成された孔に容器の首部を挿通することで、容器の首部に掛けた状態として陳列して販売するということが従来から行なわれており、そのような場合に使用される首掛けラベル（ネックハンガーラベル）については、通常、陳列された商品のラベルの表示部分が正面から見やすく、しかも、表示部分にできるだけ多くの内容を表示できるように、容器の首部を挿通させるラベルの孔から一方の側でラベルの面積が大きくなるように形成されている。（例えば、特開２０００−６２７４２号公報，特開２００２−１４００００号公報等参照）。
【０００３】
【発明が解決しようとする課題】
ところで、飲料缶詰の容器として、近年、リシール（再密封）が可能で資源の回収率も高いボトル型の金属缶が、様々な飲料の分野で使用されており、そのようなボトル型缶を使用した飲料缶詰において、お茶やコーヒー等を内容物とするものでは、加熱されてホットな状態で販売される場合もある。そのようなホット販売による飲料缶詰では、ボトル型缶に限らず、缶が熱伝導性の良い金属であることから、消費者が缶の胴部を素手で掴んだ時に熱すぎて困ることがあるが、特に、ボトル型缶の場合には、缶を開ける時に、缶の胴部の円周方向の対向位置を片方の手で強く掴んで缶を確実に保持した状態で、もう一方の手によりキャップを回動させる必要があることから、熱くても我慢して片手で缶を強く掴まなければならないという問題がある。
【０００４】
これに対して、例えば、特開２００１−５５２７７号公報には、容器（缶も含む）の手で持つ部分に断熱性ラベルを粘着剤によって貼付することで、温度の高い内容物を入れた場合でも、容易に手で持つことができるようにするということが記載されており、そのような従来の技術を適用して、缶の胴部の手で掴む部分を覆うように、断熱性ラベルを缶の胴部に貼付することで、上記のような問題に対処するということも考えられるが、そうした場合、断熱性ラベルによって缶の胴部の大部分が固定的に覆われてしまうことから、滑らかな胴部による缶に固有の外観や胴部への印刷等による装飾効果が殆ど損なわれてしまうという問題がある。
【０００５】
本発明は、上記のような問題の解消を課題とするものであり、具体的には、従来から商品の宣伝や内容説明の表示等のために使用されている首掛けラベルについて、これに僅かの工夫をするだけで、缶自体には断熱性部材を粘着剤により貼付したりすることなく、手で缶を掴む時の断熱効果が得られるようにすることを課題とするものである。
【０００６】
【課題を解決するための手段】
本発明は、上記のような課題を解決するために、缶の胴部の円周方向の対向位置を片手で掴んで缶を確実に支持した状態での、缶の胴部の手で掴まれる対向部分に対して、缶の首部に掛けられるラベルを、該対向部分の略全体をカバーできるように形成しておくことを特徴とするものである。
【０００７】
上記のような構成によれば、缶自体の外観を全く変えることなく、単に、宣伝や内容説明の表示等のためのラベルを缶の首部に掛けておくだけで、缶の胴部を手で掴む際に、ラベルを介して缶の胴部を掴むことができて、缶から手に伝わる熱さや冷たさをラベルによる断熱効果によって緩和させることができる。
【０００８】
【発明の実施の形態】
以下、本発明の首掛けラベルの実施形態について、図面に基づいて詳細に説明する。なお、本発明の一実施形態について、図１は、首掛けラベルの未使用の状態を示し、図２は、（Ａ）ラベルを缶の首部に掛ける前の状態と、（Ｂ）缶の首部に掛けたラベルを下にずらし始める時の状態と、（Ｃ）缶の胴部にまでラベルがずらされた状態とをそれぞれ示すものである。
【０００９】
本実施形態の首掛けラベルは、例えば、新製品の販売キャンペーンで、商品を宣伝したり、商品の内容を説明したり、或いは、懸賞に応募する際の応募用シールや、キャラクターを表わした玩具用シール等を貼付したりするように使用されるものであり、ボトル型缶の首部に掛けられるものであって、図１に示すように、未使用の状態であるラベル１には、縦長な長方形のラベル１の中央部に、ボトル型缶の首部を挿通するための孔１１が形成され、この孔１１の左右（ラベル幅方向）両端から左右両側に向かって、ラベルの幅方向両端にまで達しない切り込み１２，１２が形成され、更に、それらの切り込み１２，１２の外端から上下（ラベル長さ方向）両側に、ラベルの長さ方向両端にまで達しない切り込み１３，１３が形成されている。
【００１０】
ラベル１に形成される孔１１については、その左右（ラベル幅方向）の径がボトル型缶の首部の径と略等しく、これが長径となるような楕円形に形成されており、また、孔１１の左右に続く各切り込み１２，１２については、その外端同士の間の長さがボトル型缶の胴部の径と略等しくなるように形成されていて、さらに、各切り込み１２，１２の外端から上下両側に続く各切り込み１３，１３については、それぞれの切り込み１３の中央（切り込み１２の外端位置）から各端部までの長さが、ボトル型缶の胴部の手で掴まれる部分の長さ（缶の高さ方向の長さ）に対応する長さとなるように形成されている。なお、孔１１の形状については、楕円形に限らず、ボトル型缶の首部に掛けることはできる形状であれば、円形、多角形等であっても良い。
【００１１】
そのように缶の首部を挿通するための孔１１を中央部として上下方向（長さ方向）と左右方向（幅方向）とでそれぞれ対称的に形成されているラベル１において、ラベル１の表面側には、図示していないが、その適所に、商品の宣伝や内容説明のための文字や装飾模様等が印刷されたり、或いは、応募用シールや玩具用シール等が貼付されたりしているのに対して、ラベル１の裏面側には、孔１１の上下方向（ラベル長さ方向）の両側のそれぞれで、孔１１と各切り込み１２，１２，１３，１３で囲まれた部分の内側に、断熱性の高いシート部材１４が貼着されている。
【００１２】
なお、このラベル１の材質としては、例えば、紙、布、ポリエチレンやポリプロピレン等のポリオレフィン系樹脂、ポリエチレンテレフタレート等のポリエステル樹脂、スチレン樹脂、アクリル樹脂、ナイロン樹脂、塩化ビニル系樹脂等の周知の合成樹脂のフィルム、及び、それらの複合シート等のうちの適宜のものを使用することができ、また、ラベル１の裏面側に貼着される断熱性の高いシート部材１４については、例えば、紙、布、ポリエチレンやポリプロピレン等のポリオレフィン系樹脂、ポリエチレンテレフタレート等のポリエステル樹脂、スチレン樹脂、アクリル樹脂、ナイロン樹脂、塩化ビニル系樹脂等の周知の合成樹脂のフィルム、及び、それらの複合シート等のうちの適宜の材質について、ラベル１よりも厚くしたり、シート部材１４とボトル型缶２の胴部２３との間に空気層が存在するように、フィルムを発泡させたり、繊維状にしたりしたものを使用することができるが、このシート部材１４は、断熱性だけでなく吸水性をも有することが好ましいことから、具体的には、紙、布、吸水性ポリマー等が好適に使用できる。
【００１３】
上記のようなラベル１の使用状態について説明すると、未使用の状態の平坦なシート状のラベル１の孔１１の周縁部を持ち上げるように各切り込み１２，１２，１３，１３を開くことで、図２（Ａ）に示すように、ラベル１の楕円形の孔１１の短径部を拡げた状態として、キャップ２１が装着されたボトル型缶２の首部２２をラベル１の孔１１に挿通することによって、ラベル１をボトル型缶２の首部２２に掛けておく。そのようにボトル型缶２の首部２２に掛けられるラベル１は、孔１１の周縁部が上方に傾斜した状態で、キャップ２１が装着された首部２２に接触することから、挿入方向には容易に移動するが、脱落方向ではキャップ２１に引っ掛かって、首部２２から不用意に抜けて脱落することはない。
【００１４】
そして、そのようにボトル型缶２の首部２２にラベル１が掛けられた状態でホット販売（加熱された温かい状態で販売）されている飲料缶詰について、これを購入した消費者が中身の飲料を飲むために缶を開封する場合、開封操作をする前に、図２（Ｂ）に示すように、ラベル１の各切り込みを更に開いて孔を更に拡げた状態でラベル１を下にずらせることで、図２（Ｃ）に示すように、ラベル１を缶２の胴部２３の所定位置にまでずり下げて、この状態を保持させておくことにより、缶の開封時で缶２の胴部２３を一方の手で掴んで他方の手でキャップ２１を捻る際に、胴部２３の円周方向の対向位置を、ラベル１を介した状態で、片手で強く掴んで缶２を確実に支持することができる。
【００１５】
そのように使用される本実施形態の首掛けラベルによれば、開封時に缶２の胴部２３の手で掴まれる対向部分の略全体がラベル１によってカバーされていて、ラベル１を介した状態で缶２を掴むことができることから、ホット販売により缶２が熱くなっていても、ラベル１による断熱効果によって手に伝わる缶の熱さを緩和させることができる。
【００１６】
なお、本実施形態では、ラベル１の孔１１に接続する切り込み１２，１２，１３，１３が形成されていて、缶２の首部２２に掛けられたラベル１が缶２の胴部２３にまでずり下げられるようになっていることから、ラベル１の全体の大きさを比較的小さなものとしても、ラベル１を缶２の胴部２３にまでずり下げた状態で使用することにより、缶２の胴部２３の手で掴まれる対向部分の略全体を充分にカバーすることができる。
【００１７】
また、本実施形態では、ラベル１の手で掴まれる部分の裏面側に断熱性の高いシート部材１４を貼着していることで、缶２からの熱を充分に緩和するのに必要な断熱性が充分に得られる程度にラベル１の本体自体に厚みがなくても、貼着されたシート部材１４によって充分な断熱効果を得ることができる。
【００１８】
なお、本実施形態の首掛けラベル１は、ホット販売される商品に対して使用されることで前述のような効果を得られるものであるが、そのようなホット販売による商品に限らず、冷却された状態で販売される商品においても、缶の冷たさを消費者の手に直接伝えないという点では効果的なものであって、冷却状態で販売される商品に対しても適用可能なものである。
【００１９】
そのように冷却された状態で販売される商品に対して本実施形態の首掛けラベル１を使用した場合、冷却された缶と外気との温度差により缶の表面に結露が生じることで、ラベル１を介して掴んだ缶２が結露による水分で滑りやすくなるような虞があるが、本実施形態では、ラベル１の裏面側に貼着したシート部材１４を吸水性を有するものとしていることで、そのような水分による缶の滑りを防止することができる。また、シート部材１４が缶２の胴部２３に固定されていないため、キャップ２１の表面に生じた結露による水分も、シート部材１４によって吸い取ることができ、水分によるキャップの滑りを防止できて、容器の開封が容易となる。
【００２０】
以上、本発明の首掛けラベルの一実施形態について説明したが、本発明は、上記のような実施形態に限られるものではなく、例えば、ラベル全体の大きさを比較的大きく形成することにより、ラベルを缶の首部に掛けたままの状態で、缶の胴部にまでずらせることなく、缶の胴部の手で掴まれる部分をラベルでカバーできるようにしても良く、また、ラベルの本体自体に充分な断熱性を持たせることで、ラベルの裏面側に断熱性の高いシート部材を貼着しないようにしても良く、さらには、ラベルを掛ける缶については、キャップを備えたボトル型缶に限らず、大きくネックイン加工が施された開口端部にイージーオープンエンド（簡易開口蓋）が巻締固着されているような缶であっても良く、その場合には、ラベルに形成される孔の大きさや切り込みの形状などをそれに合わせて適宜に変更する等、適宜に設計変更可能なものであることは言うまでもない。
【００２１】
【発明の効果】
以上説明したような本発明の首掛けラベルによれば、缶自体に断熱性部材を貼付して缶の外観を固定的に変えるようなことなく、単に、ラベルを缶の首部に掛けておくだけで、缶の胴部を手で掴むときに、ラベルを介して缶の胴部を掴むことができて、缶から手に伝わる熱さや冷たさをラベルの断熱効果によって緩和させることができる。
【図面の簡単な説明】
【図１】本発明の首掛けラベルの一実施形態について、未使用の状態のラベルを示す上面図。
【図２】図１に示した首掛けラベルの使用状態について、（Ａ）ラベルを缶の首部に掛ける前の状態と、（Ｂ）缶の首部に掛けたラベルを下にずらし始める時の状態と、（Ｃ）缶の胴部にまでラベルがずらされた状態とをそれぞれ示すを示す斜
視図。
【符号の説明】
１　　　　ラベル
２　　　　缶（ボトル型缶）
１１　　　（ラベルの）孔
１２　　　（ラベルの）切り込み
１３　　　（ラベルの）切り込み
１４　　　シート部材
２２　　　（缶の）首部
２３　　　（缶の）胴部
【図１】
2004086079.tif 000003
【図２】
2004086079.tif 000004